(57)【要約】【課題】スライド装置付きシートの後方などのスペースに余裕をもたせることができる技術を提供することを課題とする。【解決手段】シート座１１と、フロアプレート４に固定される車体側スライドレール２１と、シート座１１の下面に固定され、車体側スライドレール２１に対して前後方向に摺動自在に嵌合されるシート側スライドレール２２と、シート側スライドレール２２の端部またはシート座１１の下面の端部に取り付けられ、折りたたみ自在に形成されたスタンド部材３と、を備える。【選択図】図１
2010228506.tif 000002
【特許請求の範囲】
【請求項１】
シート座と、
車体側に固定される車体側スライドレールと、
前記シート座の下面に固定され、前記車体側スライドレールに対して前後方向に摺動自在に嵌合されるシート側スライドレールと、
前記シート側スライドレールの端部または前記シート座の下面の端部に取り付けられ、折りたたみ自在に形成されたスタンド部材と、
を備える、スライド装置付きシート。
【請求項２】
請求項１に記載のスライド装置付きシートにおいて、
前記スタンド部材は、長手方向を有する棒状部材であり、シート座側と車体側との間で、長手方向が鉛直方向に向けられた姿勢で使用されることを特徴とする、スライド装置付きシート。
【請求項３】
請求項１または２に記載のスライド装置付きシートにおいて、
前記スタンド部材は、伸縮自在に形成されていることを特徴とする、スライド装置付きシート。
【請求項４】
請求項１〜３のいずれかに記載のスライド装置付きシートにおいて、
前記スタンド部材は、
シート座側に取り付けられる第１ネジ部材と、
車体側の第２ネジ部材と、
前記第１ネジ部材と前記第２ネジ部材との間に配置され、当該第１ネジ部材および当該第２ネジ部材がネジ込まれるナットと、
を備えることを特徴とする、スライド装置付きシート。
【請求項５】
請求項１〜４のいずれかに記載のスライド装置付きシートにおいて、
シート座側に取り付けられ、折りたたんだ前記スタンド部材の姿勢を保持するための係止部材を備えることを特徴とする、スライド装置付きシート。
【発明の詳細な説明】
【技術分野】
【０００１】
本発明は、建設機械などの運転室に設置されるスライド装置付きシートに関するものである。
【背景技術】
【０００２】
従来のスライド装置付きシート２００を図９〜１１に示す。図９、１０は、従来のスライド装置付きシート２００の側面図、正面図である。図１１は、従来のスライド装置付きシート２００を前側にスライドさせたときの側面図である。従来のスライド装置付きシート２００は、フロアプレート４（車体側）に固着されたシートスタンド５に設けられた車体側スライドレール２１と、シート座１１の下面に設けられたシート側スライドレール２２とを備えている。シート側スライドレール２２は、前後方向に摺動自在となるように車体側スライドレール２１に嵌合されている。通常、車体側スライドレール２１に対するシート側スライドレール２２のスライドはロックされているが、シート座１１の下面に設けられたハンドル２３を操作することによってシート１がスライド可能となる。
【０００３】
特許文献１は、シートの前後スライド装置を開示する。このスライド装置は、車体側スライドレールの後端部に、車体側スライドレールの後方に突出した支持部材が設けられている。そして、シートクッション側スライドレールの後端が車体側スライドレールの後端より後方に移動した場合に、当該支持部材がシートクッション側スライドレール後端部を支持する。この特許文献１の技術によると、シートクッション側スライドレールの後端が、車体側スライドレールの後端より後方に移動した際に、支持部材の上端縁により支持されるため、車体側スライドレールを長くすること無く、シートクッション側スライドレールおよび車体側スライドレールの湾曲を防止することができる。
【先行技術文献】
【特許文献】
【０００４】
【特許文献１】実開昭５７−２０４２２７号公報
【発明の概要】
【発明が解決しようとする課題】
【０００５】
しかしながら、特許文献１に記載の技術によると、車体側スライドレールが長くなることは無いが、車体側スライドレールの後方に突出した状態で支持部材が固着されているため、結果として、車体側スライドレールの後方に支持部材が配置され、スライド装置付きシートの後方のスペースに余裕がなくなってしまう。  
【０００６】
本発明は、上記実情に鑑みてなされたものであって、その目的は、スライド装置付きシートの後方などのスペースに余裕をもたせることができる技術を提供することである。
【課題を解決するための手段および発明の効果】
【０００７】
本発明は、建設機械などの運転室に設置されるスライド装置付きシートに関するものである。そして、本発明に係るスライド装置付きシートは、上記目的を達成するために以下のようないくつかの特徴を有している。すなわち、本発明のスライド装置付きシートは、以下の特徴を単独で、若しくは、適宜組み合わせて備えている。  
【０００８】
前記課題を解決するための本発明に係るスライド装置付きシートの第１の特徴は、シート座と、車体側に固定される車体側スライドレールと、前記シート座の下面に固定され、前記車体側スライドレールに対して前後方向に摺動自在に嵌合されるシート側スライドレールと、前記シート側スライドレールの端部または前記シート座の下面の端部に取り付けられ、折りたたみ自在に形成されたスタンド部材と、を備えることである。
【０００９】
この構成によると、シート側スライドレールの端部またはシート座の下面の端部にシート座を支持可能なスタンド部材を備えているため、シート座を前後方向にスライドさせた際に、当該シート座がスタンド部材で支持される。特許文献１に記載の支持部材のように、車体側スライドレールの後方などに常に突出した状態で支持部材が固着されるのではなく、スタンド部材が折りたたみ自在に形成されているので、シート座をオーバーハングさせない場合に、シート座の下面にスタンド部材を折りたたんで収容することができる。そのため、スライド装置付きシートの後方などのスペースに余裕をもたせることができる。
【００１０】
また、本発明に係るスライド装置付きシートの第２の特徴は、前記スタンド部材が、長手方向を有する棒状部材であり、シート座側と車体側との間で、長手方向が鉛直方向に向けられた姿勢で使用されることである。
【００１１】
この構成によると、スタンド部材が、シート座側と車体側との間で、スタンド部材の長手方向が鉛直方向に向けられた姿勢で使用される。そのため、スタンド部材の強度を小さくすることができるので、スタンド部材を小型化できる。その結果、スライド装置付きシートの後方などのスペースにより余裕をもたせることができると共に、コスト低減を図ることができる。
【００１２】
また、本発明に係るスライド装置付きシートの第３の特徴は、前記スタンド部材が、伸縮自在に形成されていることである。
【００１３】
この構成によると、シート座側と車体側との間の寸法に自在に対応させて、スタンド部材を設置することができる。
【００１４】
また、本発明に係るスライド装置付きシートの第４の特徴は、前記スタンド部材が、シート座側に取り付けられる第１ネジ部材と、車体側の第２ネジ部材と、前記第１ネジ部材と前記第２ネジ部材との間に配置され、当該第１ネジ部材および当該第２ネジ部材がネジ込まれるナットと、を備えることである。
【００１５】
この構成によると、簡易な構造でスタンド部材を伸縮自在に形成することができる。
【００１６】
また、本発明に係るスライド装置付きシートの第５の特徴は、シート座側に取り付けられ、折りたたんだ前記スタンド部材の姿勢を保持するための係止部材を備えることである。
【００１７】
この構成によると、シート座を前後方向にスライドさせる場合に、折りたたんだスタンド部材をシート座の下面に保持させておくことができる。
【図面の簡単な説明】
【００１８】
【図１】スライド装置付きシートの側面図であり、スタンド部材がシート座側と車体側との間に設置された状態を示す。
【図２】スライド装置付きシートの正面図であり、スタンド部材がシート座側と車体側との間に設置された状態を示す。
【図３】スライド装置付きシートの正面図であり、スタンド部材がシート座側に折りたたまれた状態を示す。
【図４】スタンド部材の概略図を示す。
【図５】スタンド部材の分解図を示す。
【図６】スタンド部材が係止部材に保持された状態を示す。
【図７】図６に示すＣ−Ｃ断面の断面図を示す。
【図８】図４に示す矢視Ａから見た図を示す。
【図９】従来のスライド装置付きシートの側面図を示す。
【図１０】従来のスライド装置付きシートの正面図を示す。
【図１１】従来のスライド装置付きシートの側面図であり、スライド装置付きシートを前側にスライドさせた状態を示す。
【発明を実施するための形態】
【００１９】
以下、本発明を実施するための形態について図面を参照しつつ説明する。
【００２０】
図１〜３に本実施形態に係るスライド装置付きシート１００を示す。図１、２は、本実施形態に係るスライド装置付きシート１００の側面図、正面図であり、スタンド部材３がシート座１１側とフロアプレート４（車体側）との間に設置された状態を示す。図３は、スタンド部材３がシート座１１側に折りたたまれた状態を示す。図４は、スタンド部材３の概略図を示す。図５は、スタンド部材３の分解図を示す。図６は、スタンド部材３がクリップ４１（係止部材）に保持された状態を示す。図７は、図６に示すＣ−Ｃ断面の断面図を示す。図８は、図４に示す矢視Ａから見た図を示す。
【００２１】
（スライド装置付きシートの構成）
図１に示すように、スライド装置付きシート１００は、シート１と、スライド装置２と、スタンド部材３とを有して構成されている。
【００２２】
シート１は、乗員が着座するシート座１１と、着座した乗員が背中をもたれかける背もたれ部１２と、リクライニング機構１３とを有して構成されている。この構成で、シート座１１には、リクライニング機構１３を介して背もたれ部１２が設けられている。尚、シート１は、シート座１１と背もたれ部１２が一体となって形成されたものであってもよい。
【００２３】
スライド装置２は、車体側スライドレール２１と、シート側スライドレール２２とを有して構成されている。この構成で、車体側スライドレール２１は、フロアプレート４に固着されたシートスタンド５の上面に固定される。一方、シート側スライドレール２２は、シート座１１の下面に固定される。当該シート側スライドレール２２は、前後方向に摺動自在となるように車体側スライドレール２１に嵌合される。また、スライド装置２には、車体側スライドレール２１に対するシート側スライドレール２２のスライド動作を規制するロック機構（図示せず）と、当該ロック機構によるスライド動作の規制を解除するハンドル２３が備えられている。
【００２４】
（スタンド部材の構成）
図５に示すように、スタンド部材３は、第１ネジ部材３１と、第２ネジ部材３２と、高ナット３３（ナット）と、を有して構成されている。
【００２５】
第１ネジ部材３１は、アイボルト状のリング部３１ａが形成されたボルト部材である。図４に示すように、当該第１ネジ部材３１は、高ナット３３の雌ネジ部３３ａにネジ込み取り付けられ、そのネジ込み固定位置は、自由に調節される。
【００２６】
第２ネジ部材３２は、円柱状の部材にネジを切った部材であり、第２ネジ部材３２の一端にはパッド３２ａが溶接されている。図４に示すように、当該第２ネジ部材３２は、高ナット３３の雌ネジ部３３ａにネジ込み取り付けられ、そのネジ込み固定位置は、自由に調節される。
【００２７】
第１ネジ部材３１および第２ネジ部材３２のネジ込み固定位置を調節することで、スタンド部材３が伸縮自在となる。これにより、シート座１１側とフロアプレート４との間の寸法に対応させて、スタンド部材３を設置することができる。また、図４に示すように、高ナット３３の一端に第１ネジ部材３１がネジ込まれ、他端に第２ネジ部材３２がネジ込まれる構成により、スタンド部材３は長手方向を有する棒状部材として形成される。尚、本実施形態では、スタンド部材３を伸縮自在に形成できるものとして、ネジ部材を用いているが、これに限らず、例えば、油圧または空圧式のシリンダを用いてもよい。
【００２８】
図１および図２に示すように、スタンド部材３は、シート座１１の下面の端部に取り付けられる。シート座１１の下面の端部としては、シート座１１の下面の前側、後側、前側および後側のいずれかの場所である。本実施形態では、シート座１１の下面の前側にスタンド部材３を取り付けているが、これに限らず、例えば、シート側スライドレール２２の端部にスタンド部材３を取り付けてもよい。シート側スライドレール２２の端部としては、シート側スライドレール２２の正面、背面、側面、下面であり、側面または下面の場合は、シートスライドレールの前側、後側、前側および後側のいずれかの場所である。
【００２９】
次に、スタンド部材３の具体的な取り付け方法について説明する。図２に示すように、シート座１１の下面の前側であり、且つシート座１１の幅方向の両側には、固定部材６が設けられている。そして、図４および図８に示すように、当該固定部材６の側面に、スタンド部材３の第１ネジ部材３１のリング部３１ａの厚さより若干広い隙間を開けて対向するように固定されたブラケット７の間に第１ネジ部材３１のリング部３１ａが挿入される。そして、両ブラケット７に貫通された挿通孔の一方から、頭部を備えたピン８を差し込み、その先端部をリング部３１ａの内孔から他方のブラケット７の挿通孔に挿通し、さらにその突出部にクリップリング９などの止め輪を係止して当該ピン８が抜けないようにしてある。よって、スタンド部材３は、ピン８の軸部８ａを回転中心として上下方向に回転自在に取り付けられる。この構成で、図４に示す矢印Ｂの方向にスタンド部材３が回転することにより、スタンド部材３が折りたたまれる。図３に示すように、折りたたまれたスタンド部材３は、シート座１１の下面に、シート座１１の幅方向に向けて配置される。そのため、スライド装置付きシート１００の前方のスペースに余裕をもたせることができる。
【００３０】
ここで、フロアプレート４とシート座１１の下面との距離が小さく、スタンド部材３をシート座１１側に折りたたんだ際に、左右のスタンド部材３が重ならない場合は、前後方向の位置を同一としてもよいが、フロアプレート４とシート座１１の下面との距離が大きく、左右のスタンド部材３が重なる場合は、図１に示すように、前後方向の位置をずらして設置することで、左右のスタンド部材３の接触を避けることができる。
【００３１】
シート１を前側にスライドさせた場合、シート１がシートスタンド５前方にオーバーハングした状態となる。人がオーバーハングしたシート１に着座した際に、その荷重によるモーメント負荷により、図１１に示す矢印の方向の振動が大きくなる。ここで、シート１のオーバーハングが大きくなるほど、図１１に示す矢印の方向の振動は大きくなるため、乗り心地が悪化する。そこで、図１及び図２に示すように、シート座１１を前後方向にスライドさせてオーバーハングが大きくなる場合、シート座１１側とフロアプレート４との間で、シート座１１の下面に取り付けられたスタンド部材３の長手方向が鉛直に向けられた姿勢で設置されることで、シート座１１が支持される。この時、第２ネジ部材３２がフロアプレート４に当接し、シート座１１を支持することになるが、フロアプレート４と当接する第２ネジ部材３２の一端にはパッド３２ａが溶接されているため、スタンド部材３を安定させることができる。これにより、図１１に示す矢印の方向の振動を抑制することができる。その結果、シート１に着座する人の乗り心地の悪化をともなうことなく、スライドの稼働範囲を大きくすることができる。
【００３２】
（係止部材）
図６および図７に示すように、シート座１１の下面には、スタンド部材３を保持するクリップ４１（係止部材）が設けられている。当該クリップ４１の形状は、略Ｃ字形の形状であり、当該Ｃ字形部分の内側にスタンド部材３の高ナット３３を挟むことができる。これにより、シート座１１側に折りたたまれ、シート座１１の幅方向に向けて配置されたスタンド部材３は、クリップ４１によって保持される。そのため、シート座１１を前後方向にスライドさせる場合は、折りたたんだスタンド部材３をシート座１１側に保持させておくことができる。
【００３３】
本実施形態においては、図１〜３に示すように、スタンド部材３をシート座１１の下面の前側に設置した例であるが、シート座１１が後側にオーバーハングする場合には、スタンド部材３をシート座１１の下面の後側に構成すればよい。これにより、スライド装置付きシート１００の後方のスペースに余裕をもたせることができる。
【００３４】
以上説明したように、本実施形態に係るスライド装置付きシート１００は、シート側スライドレール２２の端部またはシート座１１の下面の端部に折りたたみ自在なスタンド部材３を備える。
【００３５】
この構成によると、スタンド部材３が折りたたみ自在に形成されているので、シート１をオーバーハングさせない場合に、シート座１１の下面にスタンド部材３を折りたたんで収容することができる。そのため、スライド装置付きシート１００の前方および後方のスペースに余裕をもたせることができる。
【００３６】
また、スタンド部材３は、長手方向を有する棒状部材であり、シート座１１側とフロアプレート４との間で、長手方向が鉛直方向に向けられた姿勢で使用される。
【００３７】
この構成によると、従来の技術に比べて、スタンド部材３の強度を小さくすることができるので、スタンド部材３を小型化できる。その結果、スライド装置付きシート１００の前方のスペースにより余裕をもたせることができると共に、コスト低減を図ることができる。
【００３８】
当該スタンド部材３は、シート座１１側に取り付けられる第１ネジ部材３１と、車体側の第２ネジ部材３２と、第１ネジ部材３１と前記第２ネジ部材３２との間に配置され、当該第１ネジ部材３１および当該第２ネジ部材３２がネジ込まれる高ナット３３と、を備える。
【００３９】
この構成によると、簡易な構造でスタンド部材３を伸縮自在に形成することができる。さらに、油圧や空圧式シリンダに比べて、配管が必要なく、機器や配管からの油、空気漏れの心配をする必要がない。
【００４０】
以上、本発明の実施形態について説明したが、本発明は上述の実施の形態に限られるものではなく、特許請求の範囲に記載した限りにおいて様々に変更して実施することが可能なものである。
【符号の説明】
【００４１】
１  シート
２  スライド装置
３  スタンド部材
１１  シート座
１２  背もたれ部
２１  車体側スライドレール
２２  シート側スライドレール
３１  第１ネジ部材
３２  第２ネジ部材
３３  高ナット
４１  クリップ
１００  スライド装置付きシート
【図１】
2010228506.tif 000003
【図２】
2010228506.tif 000004
【図３】
2010228506.tif 000005
【図４】
2010228506.tif 000006
【図５】
2010228506.tif 000007
【図６】
2010228506.tif 000008
【図７】
2010228506.tif 000009
【図８】
2010228506.tif 000010
【図９】
2010228506.tif 000011
【図１０】
2010228506.tif 000012
【図１１】
2010228506.tif 000013